(57)【要約】【課題】  寝具を乾燥させるのに手間が掛からず使い勝手が良く、さらに就寝時に寝具を暖房することのできる乾燥機能付き寝具を提供する。【解決手段】  立体格子空間材８と、この立体格子空間材８を収納する収納袋９と、この収納袋９に空気を送風するため収納袋９に設けられた挿入口１１とで構成した空間材ユニット１２と、前記挿入口１１に連結管５を介して送風する温風ユニット７とを備え、空間材ユニット１２の収納袋９は非通気または通気しにくい生地で構成するとともに、収納袋上面９ａの一部に通気し易い開口部１０を設けた。【選択図】  図１
2005211370.tif 000002
【特許請求の範囲】
【請求項１】
立体格子空間材（８）と、この立体格子空間材（８）を収納する収納袋（９）と、この収納袋（９）に空気を送風するため収納袋（９）に設けられた挿入口（１１）とで構成した空間材ユニット（１２）と、前記挿入口（１１）に連結管（５）を介して送風する温風ユニット（７）とを備え、空間材ユニット（１２）の収納袋（９）は非通気または通気しにくい生地で構成するとともに、収納袋上面（９ａ）の一部に通気し易い開口部（１０）を設けてなる乾燥機能付き寝具。
【発明の詳細な説明】
【技術分野】
【０００１】
本発明は寝具の乾燥、および暖めを行うことができる乾燥機能付き寝具に関するものである。
【背景技術】
【０００２】
従来のこの種の乾燥機は、図６に示すような構造のものが知られている。すなわち、敷き布団１および掛け布団２の間に乾燥マット３を挿入し、乾燥マット３に温風供給機能を持ったふとん乾燥機本体４から連結管５を通して温風６を送風するものであり、温風６により乾燥マット３を暖めることで、敷き布団１と掛け布団２に熱を伝達させて乾燥するものであった。
【０００３】
また、乾燥マットを敷き込む手間を省くために、寝具に乾燥マットを取付ける手段を備え、マットを着脱する手間を省いたものもある（例えば、特許文献１参照）。
【０００４】
【特許文献１】特開平５−１５４０２６号公報
【発明の開示】
【発明が解決しようとする課題】
【０００５】
しかしながら、上記従来の技術において、前者のものは使用する度に乾燥マットを敷き込む手間が掛かり使い勝手の悪いものであり、後者のものは乾燥マットを敷き込む手間を省くことができるものであるが、この場合、乾燥マットは袋状になっているため、乾燥に使用していない時、すなわち就寝時は人の体動により乾燥マットが捩れたり、また、乾燥マットは耐久性がありかつ安価な材料であるナイロンまたはポリエステル等で作られるものがほとんどであるため、体動時にカサカサ音が発生し、不快な音となり、睡眠に支障をきたすものであった。
【０００６】
また、この乾燥マットは、就寝時に温風を入れて膨らませると、人が寝にくいため、乾燥時以外は使用できないものであった。
【課題を解決するための手段】
【０００７】
本発明は上記の問題を解決するためになされたものであり、立体格子空間材と、この立体格子空間材を収納する収納袋と、この収納袋に空気を送風するため収納袋に設けられた挿入口とで構成した空間材ユニットと、前記挿入口に連結管を介して送風する温風ユニットとを備え、空間材ユニットの収納袋は非通気または通気しにくい生地で構成するとともに、収納袋上面の一部に通気し易い開口部を設けたものである。
【発明の効果】
【０００８】
本発明の乾燥機能付き寝具は、上記のように構成したことにより、空間材ユニットの上に寝具であるマットレスを載せ、その上に掛け布団を載せた状態で温風ユニットから空間材ユニットに温風を送風することにより、空間材ユニットの上に載せられた寝具を乾燥させることができる。
【０００９】
また、冬場等の寒い時期に温風ユニットから温風を送風し寝具を暖めながら就寝しても人の体動により空間材ユニットが捩れることがなく、また、カサカサ音が発生することもない。更に、空間材ユニットが膨らむことによる不快感もなく、就寝時暖かく睡眠することにも使用することができる。
【００１０】
また、夏場等、寝汗をかく時期に温風ユニットから送風だけにすることにより、寝具内の湿気および熱を寝具外に放出することができ、更に、温風ユニットの送風量を抑えることにより、送風運転をしたまま、就寝することができる。
【００１１】
このように、本発明によれば寝具を乾燥させることができるとともに、寒い時期は温風を送風することにより暖かく就寝でき、暑い時期は送風だけにしてさわやかに就寝することができる。
【発明を実施するための最良の形態】
【００１２】
以下、本発明の一実施例を図１〜図５を参照して説明する。図１は本発明の乾燥機能付き寝具の一実施例の縦断面図、図２は同じく空間材ユニットの上面図、図３は同じく温風ユニットの縦断面図、図４は同じく温風ユニットの操作部の詳細図、図５は同じく制御回路のブロック図である。
【００１３】
図において、２は寝具である掛け布団、５は連結管、７は温風ユニットである。
【００１４】
８は立体格子空間材で、プラスチック製の糸を多数編み込んで構成してあり、これにより連通した空気層が形成され空気が流通することができ、この上に人が仰臥してもつぶれて空気層が無くなることがない程度の強度を有しているものである。
【００１５】
９は収納袋で、内部に立体格子空間材８を収納していて、非通気または通気しにくい生地で作られており、上面側の収納袋上面９ａの一部に通気し易い開口部１０が設けられていて、この開口部１０はまったく生地がない開口部でも良いし、通気性のある別の生地が縫われている構成でも良い。
【００１６】
１１は挿入口で、後記するカバー１４と収納袋９を連通して設けられていて、連結管５をこの挿入口１１に挿入することにより収納袋９内に空気を送風することができる。そして挿入口１１を備え内部に立体格子空間材８を収納した収納袋９により空間材ユニット１２を構成している。
【００１７】
１３はマットレスで、ウレタン等の材料を用い適度の堅さを持ち、この上に人が仰臥した時寝心地が良いものである。
【００１８】
１４はカバーで、袋状になっていて、側面に設けたファスナー（図示せず）を開いて、空間材ユニット１２とマットレス１３を内部に入れファスナーを閉じて収納するもので、このカバー１４は通気性のある生地で構成されている。
【００１９】
１５は温風の流れを示していて、挿入口１１から収納袋９内に送風された温風１５は、立体格子空間材８の連通している空気層により収納袋９内に行き渡らせることができる。そして、収納袋上面９ａの開口部１０を通って温風１５ａとしてマットレス１３と収納袋上面９ａとの隙間を通してカバー１４内に放出され、カバー１４の生地を通して室内に放出される。
【００２０】
１６はマットレス１３から掛け布団２に伝わる熱を表していて、掛け布団２には温風１５により暖められたマットレス１３の熱が伝えられる。
【００２１】
１７は送風ファン、１８はモータで送風ファン１７を回転させ送風する、１９は送風ファン１７の回転により送風される送風通路、２０は送風通路１９の途中に設けられたヒータであり、ヒータ２０を通電することにより温風を送風することができる。そして温風ユニット７はこれらで構成され、連結管５を接続してあり、連結管５を介して収納袋９内に送風することができる。
【００２２】
２１はタイマーを設定するためのタイマー操作部で回転させてタイマー時間を任意に設定することができる。
【００２３】
２２は乾燥・暖め切り換えスイッチであり、右に押せば乾燥で、左に押せば暖めモードになる。
【００２４】
２３は送風スイッチであり、右に押せば送風になり、左に押せば送風停止になる。そしてこれらのタイマー操作部２１と、乾燥・暖め切り換えスイッチ２２と、送風スイッチ２３は温風ユニット７の表面に設けられていて使用者が容易に操作することができるようになっている。
【００２５】
図５はモータ１８とヒータ２０の制御を行う制御回路の回路ブロック図であり、タイマー操作部２１と、乾燥・暖め切り換えスイッチ２２と、送風スイッチ２３を入力し、モータ１８と、ヒータ２０の出力を制御している。２８は制御基板である。
【００２６】
次に以上の構成による作用を説明する。
【００２７】
寝具であるマットレス１３と掛け布団２を乾燥させる運転をする場合は、乾燥・暖め切換スイッチ２２を右に押し、タイマー操作部２１を回転してタイマー時間を設定すると、乾燥運転となりヒータ２０およびモータ１８に通電され、送風ファン１７が回転することにより、ヒータ２０の熱を連結管５を介して温風１５として空間材ユニット１２に供給する。
【００２８】
空間材ユニット１２に供給された温風１５は、立体格子空間材８の連通している空気層により収納袋９内に行き渡らせることができ、そして、収納袋上面９ａの開口部１０を通って、温風１５ａとしてマットレス１３と収納袋上面９ａの隙間を通してカバー１４内に放出され、カバー１４の生地を通して室内に放出される。
【００２９】
これによりマットレス１３が加熱されて温度が上昇するとともに、マットレス１３と空間材ユニット１２を覆うカバー１４を介して接触している掛け布団２の温度も上昇することができるため、掛け布団２およびマットレス１３共に乾燥させることができる。
【００３０】
そして、収納袋９は非通気または通気しにくい生地でできていること、および開口部１０は収納袋上面９ａの一部にしか設けていないため、温風が立体格子空間材８内に行き渡らずにマットレス１３と空間材ユニット１２を覆うカバー１４を通して室内に放出されることを防止することができるため、マットレス１３及び掛け布団２を均一に加熱することができる。
【００３１】
次に、乾燥・暖め切換スイッチ２２を左に押し、タイマー操作部２１を回転してタイマー時間を設定すると暖め運転となり、ヒータ２０およびモータ１８に通電され、送風ファン１７が回転することにより、ヒータ２０の熱を温風１５として連結管５を通して空間材ユニット１２に供給する。
【００３２】
但し、この暖め運転は就寝前のふとんの暖めだけでなく、就寝中も使用可能であり、ヒータ２０のパワーを小さくして温風温度を低くすると共に、モータ１８の回転数を低く押さえて騒音も低くする運転をする。温風の流れは乾燥運転と同じである。
【００３３】
そして、空間材ユニット１２はマットレス１３の下側に設けられており、収納袋９を例えばナイロン生地で作っても、直接人体に触れないため、カサカサ音により就寝時不快感を与えることもないし、収納袋９の上面側が開放されているため、従来の乾燥マットのように、温風を送り込んでも、膨れることはなく、就寝時に温風を送っても、乾燥マットが膨らむことによる不快感を与えることがない。
【００３４】
このようにして、冬場等の寒い時期に温風ユニットから温風を送風し寝具を暖めながら就寝すれば暖かく睡眠することができる。
【００３５】
次に、送風スイッチ２３を右に押し、タイマー操作部２１を回転してタイマー時間を設定すると送風のみの運転となり、モータ１８が回転することにより、送風ファン１７からの送風が連結管５を介して空間材ユニット１２に供給される。このときの送風の流れは乾燥運転の温風と同じであるが、送風運転時は送風のみの空気が流れ、モータ１８の回転数を低くし、騒音を低くする運転を行う。
【００３６】
そして、暖め運転と同様にカサカサ音により就寝時不快感を与えることもないし、従来の乾燥マットのように、風を送り込んでも、膨れることはなく、就寝時に風を送っても、乾燥マットが膨らむことによる不快感を与えることがない。
【００３７】
このように、寝具を乾燥させることができるとともに、冬場など、寒い時期は温風を送風することにより暖かく就寝でき、夏場など、寝汗をかく時期には温風ユニット７から送風だけすることにより、寝具内の湿気および熱を室内に放出しさわやかに就寝することができる。
【図面の簡単な説明】
【００３８】
【図１】本発明の乾燥機能付き寝具の一実施例の縦断面図である。
【図２】同じく空間材ユニットの上面図である。
【図３】同じく温風ユニットの縦断面図である。
【図４】同じく温風ユニットの操作部の詳細図である。
【図５】同じく制御回路のブロック図である。
【図６】従来例を示す説明図である。
【符号の説明】
【００３９】
７    温風ユニット
８    立体格子空間材
９    収納袋
９ａ  収納袋上面
１０  開口部
１１  挿入口
１２  空間材ユニット
【図１】
2005211370.tif 000003
【図２】
2005211370.tif 000004
【図３】
2005211370.tif 000005
【図４】
2005211370.tif 000006
【図５】
2005211370.tif 000007
【図６】
2005211370.tif 000008